(57)【要約】      （修正有）【課題】旅行の思い出である写真を満足のいく形で編集できるようにし、旅行先で撮影した写真をコレクションする楽しみを増大させる。【解決手段】アルバムにおいて、旅行先の情報を表示する台紙７を、旅行の日程に従って綴る。【効果】旅行の思い出である写真を旅行の日程に沿って自然に満足のいく形で編集でき、旅行先で撮影した写真をコレクションする楽しみを増大させ、かつ正確に保存することができる。【選択図】図１
0003102205.tif 000002
【実用新案登録請求の範囲】
【請求項１】
訪問先の情報を表示する台紙が、旅行の日程に従って綴られていることを特徴とするアルバム。
【請求項２】
前記訪問先の情報は、場所や建物その他の風景、地名、場所の名称、または前記場所や建物等に関するコメント、の全部または一部を含むものであることを特徴とする請求項１に記載のアルバム。
【請求項３】
前記台紙が、訪問先を表示する複数の台紙から、旅行の日程に従って選択されて綴られている請求項１または請求項２に記載のアルバム。
【請求項４】
請求項１〜請求項３のいずれか１項に記載のアルバムにおいて、さらに、旅行のスケジュールを表示する頁が綴られていることを特徴とするアルバム。
【請求項５】
請求項１〜請求項４のいずれか１項に記載のアルバムにおいて、さらに、旅行の記録や感想を書き込むことができる頁が綴られていることを特徴とするアルバム。
【請求項６】
請求項１〜請求項５のいずれか１項に記載のアルバムにおいて、さらに、クリアファイルが綴られていることを特徴とするアルバム。
【請求項７】
請求項１〜請求項６のいずれか１項に記載のアルバムにおいて、さらに、旅行の名称、旅行の期間、または旅行会社名が、表紙、裏表紙、または背表紙に表示されていることを特徴とするアルバム。
【請求項８】
請求項１〜請求項７のいずれか１項に記載のアルバムにおいて、さらに、表紙または裏表紙に音楽ＣＤを付属させる付属部が設けられていることを特徴とするアルバム。
【考案の詳細な説明】
【技術分野】
【０００１】
本考案は、アルバムに関し、特に、旅行先で撮影した写真を旅行者が任意に貼付するアルバムに関する。
【背景技術】
【０００２】
旅行先では、若年層や壮年層の別にかかわりなく多くの写真が撮影されるが、従来は、これら撮影された写真のほとんどがＤＰＥ店（フィルムの現像・焼き付け・引き延ばしをしてくれる店）から配布される簡易なアルバムや、自ら別途購入する白紙の台紙を有するアルバムに貼付するなどして保存されていた。
【考案の開示】
【考案が解決しようとする課題】
【０００３】
しかしながら、これらの従来のアルバムに自らの旅行の記録である写真を整理して貼付するには、旅行から帰ったのちに写真を現像に出して整理し、どの場所で撮影したものかを分類し、旅行の日程の記憶に沿ってこれを白紙の台紙に貼付していくのが普通である。しかしながら、旅行後時間が経過すると撮影場所が不明となって整理が難しくなったり、整理した写真を白紙の台紙に順次貼付したアルバムは、多くの写真の羅列となって、印象が薄いものとなる。また若年層が多くの国や都市など多くの場所を来訪するのに対し、壮年層はゆっくり・じっくり旅行を楽しむ傾向があり、壮年層にとっての写真は旅行の思い出がぎっしりと詰まった映像であるため、旅先の写真をきちんと整理して保管する傾向にあるが、若年層にとっては通常、旅行先で撮影された１枚１枚の写真の価値は、来訪の記録でしかなく、アルバムに整理されることすらなく、後になってその写真を見直そうとしても、きちんとした記録として整理されて居ない結果となり、後に後悔する結果となることも多い。
【０００４】
本考案はこのように従来のアルバムの欠点を解消し、若年層にとっても旅行の記録を簡単に作成することができ、壮年層にとっても旅行の思い出をよりよく反映した写真の編集に適するアルバムを提供することを目的とする。
【課題を解決するための手段】
【０００５】
本考案によれば、上記した課題は、次の手段によって解決できる。
【０００６】
第１の考案は、訪問先の情報を表示する台紙が、旅行の日程に従って綴られていることを特徴とするアルバムである。
【０００７】
第２の考案は、前記訪問先の情報は、場所や建物の風景、地名や前記場所や建物に関するコメント、等であることを特徴とする第１の考案に係るアルバムである。
【０００８】
第３の考案は、前記台紙が、訪問先を表示する複数の台紙から、旅行の日程に従って選択されて綴られている第１の考案または第２の考案に係るアルバムである。
【０００９】
第４の考案は、前記考案において更に旅行のスケジュールを表示する頁が綴られていることを特徴とするアルバムである。
【００１０】
第５の考案は、第１の考案〜第４の考案のいずれか１つに係るアルバムにおいて、さらに、旅行の記録や感想を書き込むことができる頁が綴られていることを特徴とするアルバムである。
【００１１】
第６の考案は、第１の考案〜第５の考案のいずれか１つに係るアルバムにおいて、さらに、クリアファイルが綴られていることを特徴とするアルバムである。
【００１２】
第７の考案は、第１の考案〜第６の考案のいずれか１つに係るアルバムにおいて、さらに、旅行の名称、旅行の期間、または旅行会社名が、表紙、裏表紙、または背表紙に表示されていることを特徴とするアルバムである。
【００１３】
第８の考案は、第１の考案〜第７の考案のいずれか１つに係るアルバムにおいて、さらに、表紙または裏表紙に音楽ＣＤを付属させる付属部が設けられていることを特徴とするアルバムである。
【考案の効果】
【００１４】
本考案によれば、壮年層にとっても若年層にとっても共に旅行の思い出である写真を旅行の日程に沿って自然に満足のいく形で編集でき、旅行先で撮影した写真をコレクションする楽しみを増大させ、かつ正確な記録として保存することができる。
【考案を実施するための最良の形態】
【００１５】
以下に、添付した図面を参照しつつ、本考案を実施するための最良の形態について説明する。図１（ａ）は、本考案の実施の形態に係るアルバムの表紙と裏表紙と背表紙とを示す図である。図１（ａ）に示すように、本考案の実施の形態に係るアルバムの表紙１には、「イタリア旅行」という旅行の名称４と、「２００３年１２月１〜１２月１１日」という旅行の期間５と、「○○会社」という旅行会社名６と、が表示されている。したがって、本考案の実施の形態に係るアルバムによれば、旅行の名称や旅行の期間や旅行会社名を一目で知ることができるため、従来のアルバムよりも、旅行の思い出である写真を満足のいく形で編集できる。
【００１６】
なお、旅行の名称４や旅行の期間５や旅行会社名６は、アルバムの裏表紙２や背表紙３に表示することも可能である。また、本考案の実施の形態に係るアルバムは、表紙１や裏表紙２や背表紙３の材質、旅行の名称４や旅行の期間５や旅行会社名６の表示態様を限定するものではない。
【００１７】
図１（ｂ）は、本考案の実施の形態に係るアルバムに綴られている台紙を示す図である。このような台紙は、旅行会社の企画するツアー旅行を想定し、イタリア旅行、エジプト旅行、フランス旅行、中国旅行等のツアー日程に従い旅行する先の名所、旧跡、駅、レストラン、ホテルその他の訪問先の写真や映像、説明、場所名等を記載した複数の台紙が予め用意されており、特定のツアーに沿ったアルバムを作成する場合、その訪問先の台紙を選択して一冊のアルバムに綴って構成する。
【００１８】
従って図１（ｂ）に示すように、本考案の実施の形態に係るアルバムには、複数の台紙が綴り具１２により旅行の日程に従って綴られている。たとえば、ミラノ、ローマ、ナポリ、ヴェネツィアの順でイタリアを旅行する場合には、ミラノに関する台紙、ローマに関する台紙、ナポリに関する台紙、ヴェネツィアに関する台紙が、表紙から背に向けて順に綴られている。これにより、本考案の実施の形態に係るアルバムは、旅行先で撮影した写真を貼付するためのガイドラインとなる。なお、本考案の実施の形態に係るアルバムは、台紙の材質を限定するものではない。また、綴り具１２は、複数の台紙を綴ることができる具であれば何でもよいが、たとえば、リングや紐などが考えられ、台紙を自由に交換できるものが望ましい。
【００１９】
つぎに、アルバムに綴られている複数の台紙のうちの１枚である台紙７に記載されている情報について詳細に説明する。
【００２０】
図１（ｂ）に示すように、台紙７には、「ＲＯＭＥ」という旅行先の都市名８と、ローマやローマにある建物の風景１０と、が表示されている。また、台紙７には、写真を貼付するためのスペース９が設けられている。これにより、本考案の実施の形態に係るアルバムによれば、旅行先で撮影した写真が台紙上で綺麗に飾られる。また、台紙７には、ローマやローマにある建物に関するコメント１１が表示されている。このコメント１１によれば、旅行中に巡った場所の思い出が蘇るとともに、旅行に行かなかった友人や家族も興味深くアルバムを見ることができる。
【００２１】
なお、本考案の実施の形態に係るアルバムは、都市名８や、場所や建物の風景１０や、場所や建物に関するコメント１１の表示態様を限定するものではない。また、図１（ｂ）に示す台紙７には、写真を貼付するためのスペース９が設けられているが、写真は、都市名８や、場所や建物の風景１０や、場所や建物に関するコメント１１の上にも貼付することができる。
【００２２】
また、本考案の実施の形態に係るアルバムには、上記した台紙のみならず、たとえば図２に示すような旅行のスケジュールを表示する頁を綴ることもできる。このような旅行のスケジュールを表示する頁を上記台紙とともに本考案の実施の形態に係るアルバムに綴れば、旅行の第１日目から最終日までが一目で分かるようになる。したがって、上記台紙とともに旅行のスケジュールを表示する頁を綴った本考案の実施の形態に係るアルバムによれば、旅行の思い出をより満足行く形で編集することができる。
【００２３】
また、本考案の実施の形態に係るアルバムには、上記した台紙や旅行のスケジュールを表示する頁とともに、旅行の記録や感想を書き込むことができる頁を綴ることができる。このような旅行の記録や感想を書き込むことができる頁を上記した台紙や旅行のスケジュールを表示する頁とともに綴った本考案の実施の形態に係るアルバムによれば、旅行先で撮影した写真をアルバムに貼り付けながら、旅行の思い出をアルバムに書き込むことができる。
【００２４】
また、本考案の実施の形態に係るアルバムには、上記した台紙や、旅行のスケジュールを表示する頁や、旅行の記録や感想を書き込むことができる頁とともに、クリアファイルを綴ることができる。このクリアファイルをも綴った本考案の実施の形態に係るアルバムによれば、旅行先の施設のパンフレットや、絵葉書や、名所の入場券や、ショッピングした店のショップカードなど様々な記念の印刷物を綺麗に整理することができる。
【００２５】
また、本考案の実施の形態に係るアルバムによれば、表紙１の裏に、旅行先で撮影した写真のうちで最もお気に入りの写真（旅行のベストショット）を貼り付けることもできる。したがって、本考案の実施の形態に係るアルバムによれば、旅行の思い出を１枚の写真に要約することもできる。
【００２６】
なお、本考案の実施の形態に係るアルバムには、ステッカーやシールなどを貼り付けることもできる。本考案の実施の形態に係るアルバムにステッカーを貼り付ければ、手書きしたタイトルやコメントとともに、旅行の思い出である写真をより綺麗に飾ることができ、写真を編集する楽しみをより増大させることができる。
【００２７】
また、本発明の実施の形態に係るアルバムにおいては、表紙１や裏表紙２に音楽ＣＤを付属させる付属部を設けることができる。この付属部は、ポケットや留め具などによって実現することができる。付属部で付属させる音楽ＣＤを訪問先に関係のある音楽ＣＤとすれば、訪問先に関係のある音楽を聞きながら、写真の整理をすることができ、写真を編集する楽しみをより一層増大させることができる。
【００２８】
なお、本発明の実施の形態における「表示」は、印刷やシールの貼付や手書きなどによって、実現することができる。
【００２９】
以上説明したように、本考案の実施の形態に係るアルバムによれば、旅行の思い出である写真を満足のいく形で編集できる。よって、本考案の実施の形態に係るアルバムによれば、旅行先で撮影した写真をコレクションする楽しみを増大させ、かつ正確な旅行の記録を得ることができる。
【産業上の利用可能性】
【００３０】
本考案によれば、若年、壮年を問わず完全な旅行の記録を作成することができ、例えばツアー旅行のパックと共に販売するか、もしくはこれをツアー旅行の景品とするなどに利用することにより、旅行会社のパック旅行の宣伝効果や、パック旅行のサービス向上に伴う提供業務の品質向上などの産業上の利用に供することができる。
【図面の簡単な説明】
【００３１】
【図１】本考案の実施の形態に係るアルバムの表紙と裏表紙と背表紙とを示す図（ａ）と、本考案の実施の形態に係るアルバムに綴られている台紙を示す図（ｂ）である。
【図２】本考案の実施の形態に係るアルバムに綴ることができる旅行のスケジュールを表示する頁を示す図である。
【符号の説明】
【００３２】
１      表紙
２      裏表紙
３      背表紙
４      旅行の名称
５      旅行の期間
６      旅行会社名
７      台紙
８      地名や都市名
９      写真を貼付するためのスペース
１０    場所や建物の風景
１１    場所や建物に関するコメント
１２    綴り具
【図１】
0003102205.tif 000003
【図２】
0003102205.tif 000004